(57)【特許請求の範囲】
【請求項１】
室内を暖房する複数系統の空調手段を制御する制御装置において、
前記複数系統の空調手段のうち運転していない系統の空調手段がある場合に該運転していない系統の空調手段のうちの１系統の空調手段の運転を開始する高温側運転開始温度及び低温側運転開始温度と、前記複数系統の空調手段のうち運転している系統の空調手段がある場合に該運転している系統の空調手段のうちの１系統の空調手段の運転を停止する高温側運転停止温度及び低温側運転停止温度と、が設定され、
前記制御装置は、前記室温が前記高温側運転開始温度から前記低温側運転開始温度に低下して達した場合で、且つ、前記複数系統の空調手段のうち運転していない系統の空調手段がある場合に、該運転していない系統の空調手段のうちの１系統の空調手段の運転を開始し、
前記制御装置は、前記室温が前記低温側運転停止温度から前記高温側運転開始温度に低下して達した場合で、且つ、前記複数系統の空調手段のうち運転していない系統の空調手段がある場合に、該運転していない系統の空調手段のうちの１系統の空調手段の運転を開始し、
前記制御装置は、前記室温が前記低温側運転停止温度から前記高温側運転停止温度に上昇して達した場合で、且つ、前記複数系統の空調手段のうち運転している系統の空調手段がある場合に、該運転している系統の空調手段のうちの１系統の空調手段の運転を停止し、
前記制御装置は、前記室温が前記高温側運転開始温度から前記低温側運転停止温度に上昇して達した場合で、且つ、前記複数系統の空調手段のうち運転している系統の空調手段がある場合に、該運転している系統の空調手段のうちの１系統の空調手段の運転を停止し、
前記制御装置には、前記複数系統の空調手段のうち運転していない全ての系統の空調手段の運転を開始する強制運転温度が更に設定され、
前記制御装置は、前記低温側運転開始温度において前記空調手段の運転を開始した後、前記室温が一定時間以上前記強制運転温度と前記高温側運転開始温度との間の範囲にある場合で、且つ、前記複数系統の空調手段のうち運転していない系統の空調手段がある場合に、該運転していない系統の空調手段のうちの１系統の空調手段の運転を開始する、
ことを特徴とする制御装置。
【請求項２】
室内を暖房する複数系統の空調手段を制御する制御装置において、
前記複数系統の空調手段のうち運転していない系統の空調手段がある場合に該運転していない系統の空調手段のうちの１系統の空調手段の運転を開始する高温側運転開始温度及び低温側運転開始温度と、前記複数系統の空調手段のうち運転している系統の空調手段がある場合に該運転している系統の空調手段のうちの１系統の空調手段の運転を停止する高温側運転停止温度及び低温側運転停止温度と、が設定され、
前記制御装置は、前記室温が前記高温側運転開始温度から前記低温側運転開始温度に低下して達した場合で、且つ、前記複数系統の空調手段のうち運転していない系統の空調手段がある場合に、該運転していない系統の空調手段のうちの１系統の空調手段の運転を開始し、
前記制御装置は、前記室温が前記低温側運転停止温度から前記高温側運転開始温度に低下して達した場合で、且つ、前記複数系統の空調手段のうち運転していない系統の空調手段がある場合に、該運転していない系統の空調手段のうちの１系統の空調手段の運転を開始し、
前記制御装置は、前記室温が前記低温側運転停止温度から前記高温側運転停止温度に上昇して達した場合で、且つ、前記複数系統の空調手段のうち運転している系統の空調手段がある場合に、該運転している系統の空調手段のうちの１系統の空調手段の運転を停止し、
前記制御装置は、前記室温が前記高温側運転開始温度から前記低温側運転停止温度に上昇して達した場合で、且つ、前記複数系統の空調手段のうち運転している系統の空調手段がある場合に、該運転している系統の空調手段のうちの１系統の空調手段の運転を停止し、
前記制御装置には、前記複数系統の空調手段のうち運転している全ての系統の空調手段の運転を停止する強制停止温度が更に設定され、
前記制御装置は、前記高温側運転停止温度において前記空調手段の運転を停止した後、前記室温が一定時間以上前記強制停止温度と前記低温側運転停止温度との間の範囲にある場合で、且つ、前記複数系統の空調手段のうち運転している系統の空調手段がある場合に、該運転している系統の空調手段のうちの１系統の空調手段の運転を停止する、
ことを特徴とする制御装置。
【請求項３】
室内を暖房する複数系統の空調手段を制御する制御装置において、
前記複数系統の空調手段のうち運転していない系統の空調手段がある場合に該運転していない系統の空調手段のうちの１系統の空調手段の運転を開始する高温側運転開始温度及び低温側運転開始温度と、前記複数系統の空調手段のうち運転している系統の空調手段がある場合に該運転している系統の空調手段のうちの１系統の空調手段の運転を停止する高温側運転停止温度及び低温側運転停止温度と、が設定され、
前記制御装置は、前記室温が前記高温側運転開始温度から前記低温側運転開始温度に低下して達した場合で、且つ、前記複数系統の空調手段のうち運転していない系統の空調手段がある場合に、該運転していない系統の空調手段のうちの１系統の空調手段の運転を開始し、
前記制御装置は、前記室温が前記低温側運転停止温度から前記高温側運転開始温度に低下して達した場合で、且つ、前記複数系統の空調手段のうち運転していない系統の空調手段がある場合に、該運転していない系統の空調手段のうちの１系統の空調手段の運転を開始し、
前記制御装置は、前記室温が前記低温側運転停止温度から前記高温側運転停止温度に上昇して達した場合で、且つ、前記複数系統の空調手段のうち運転している系統の空調手段がある場合に、該運転している系統の空調手段のうちの１系統の空調手段の運転を停止し、
前記制御装置は、前記室温が前記高温側運転開始温度から前記低温側運転停止温度に上昇して達した場合で、且つ、前記複数系統の空調手段のうち運転している系統の空調手段がある場合に、該運転している系統の空調手段のうちの１系統の空調手段の運転を停止し、
前記制御装置は、前記高温側運転開始温度において前記空調手段の運転を開始した後、前記室温が一定時間以上前記低温側運転開始温度と前記低温側運転停止温度との間の範囲にある場合で、且つ、前記複数系統の空調手段のうち運転していない系統の空調手段がある場合に、該運転していない系統の空調手段のうちの１系統の空調手段の運転を開始する、
ことを特徴とする制御装置。
【請求項４】
室内を暖房する複数系統の空調手段を制御する制御装置において、
前記複数系統の空調手段のうち運転していない系統の空調手段がある場合に該運転していない系統の空調手段のうちの１系統の空調手段の運転を開始する高温側運転開始温度及び低温側運転開始温度と、前記複数系統の空調手段のうち運転している系統の空調手段がある場合に該運転している系統の空調手段のうちの１系統の空調手段の運転を停止する高温側運転停止温度及び低温側運転停止温度と、が設定され、
前記制御装置は、前記室温が前記高温側運転開始温度から前記低温側運転開始温度に低下して達した場合で、且つ、前記複数系統の空調手段のうち運転していない系統の空調手段がある場合に、該運転していない系統の空調手段のうちの１系統の空調手段の運転を開始し、
前記制御装置は、前記室温が前記低温側運転停止温度から前記高温側運転開始温度に低下して達した場合で、且つ、前記複数系統の空調手段のうち運転していない系統の空調手段がある場合に、該運転していない系統の空調手段のうちの１系統の空調手段の運転を開始し、
前記制御装置は、前記室温が前記低温側運転停止温度から前記高温側運転停止温度に上昇して達した場合で、且つ、前記複数系統の空調手段のうち運転している系統の空調手段がある場合に、該運転している系統の空調手段のうちの１系統の空調手段の運転を停止し、
前記制御装置は、前記室温が前記高温側運転開始温度から前記低温側運転停止温度に上昇して達した場合で、且つ、前記複数系統の空調手段のうち運転している系統の空調手段がある場合に、該運転している系統の空調手段のうちの１系統の空調手段の運転を停止し、
前記制御装置は、前記低温側運転停止温度において前記空調手段の運転を停止した後、前記室温が一定時間以上前記高温側運転停止温度と前記高温側運転開始温度との間の範囲にある場合で、且つ、前記複数系統の空調手段のうち運転している系統の空調手段がある場合に、該運転している系統の空調手段のうちの１系統の空調手段の運転を停止する、
ことを特徴とする制御装置。
【請求項５】
前記複数系統の空調手段は、１又は２以上のヒートポンプ及び１又は２以上の燃焼式暖房機を含み、
前記制御装置は、前記燃焼式暖房機の運転よりも前記ヒートポンプの運転を優先的に開始し、前記ヒートポンプの運転よりも前記燃焼式暖房機の運転を優先的に停止する、
ことを特徴とする請求項１から請求項４のいずれか１項記載の制御装置。
【請求項６】
請求項１から請求項５のいずれか１項記載の制御装置と、
該制御装置により制御される複数系統の空調手段と、
を備えることを特徴とする空調システム。
【発明の詳細な説明】
【技術分野】
【０００１】
本発明は、複数の空調手段を制御する制御装置、並びに、この制御装置及び上記複数の空調手段を備える空調システムに関し、更に詳しくは、室温調整を安価かつ有効に行うことができる温室制御装置及び空調システムに関する。
【背景技術】
【０００２】
従来、ガラス温室、ビニルハウス等の温室において、所望の環境で農作物等の植物が栽培されている。温室で植物を栽培する場合、栽培する植物に適した温度条件が必要となる。例えば、温室を暖房する場合には、ヒートポンプ、燃焼式暖房機、これらの組み合わせ等が用いられている。なお、ヒートポンプ及び燃焼式暖房機を同時に制御する制御装置も提案されている（例えば、特許文献１参照）。
【０００３】
上記特許文献１記載の制御装置は、室温が設定室温より低下した場合に、ランニングコストの安価なヒートポンプ部のみを運転させ、室温が更に低下した場合に、外気温の影響を受けにくい油焚燃焼部を付加的に運転させている。
【特許文献１】特開平５−３３６８４７号公報
【発明の開示】
【発明が解決しようとする課題】
【０００４】
ところで、上記特許文献１記載の制御装置は、例えば、ヒートポンプ部の設定温度を１８℃、油焚燃焼部の設定温度を１６℃と設定した場合、室温が１８℃まで低下した時点でヒートポンプ部の暖房が開始され、更に室温が低下し１６℃に達した時点で油焚燃焼部の暖房が開始される。
【０００５】
そのため、熱負荷が小さくヒートポンプ部のみで室温を維持できている間は管理温度が１８℃であるが、例えば、外気温の低下により熱負荷が大きくなった場合は、室温を維持できなくなり、室温は低下していく。
【０００６】
なお、室温が１６℃以下まで低下した時点で油焚燃焼部の運転を開始するが、上述の熱負荷の影響によって室温を１８℃まで上昇させることができない場合には、管理温度が１６℃に低下してしまう。これでは管理温度が２種類あることになってしまい、作物に対する最適な温度管理は不可能である。
【０００７】
上記２種類の管理温度の発生を避けるため、両機の設定温度を接近させていくと、ヒートポンプ部のみの運転時間が短くなり、ランニングコスト低減等の両機を併用したメリットが得られなくなってしまう。
【０００８】
本発明の課題は、上記従来の実情に鑑み、室温調整を安価かつ有効に行うことができる制御装置及び空調システムを提供することである。
【課題を解決するための手段】
【０００９】
上記課題を解決するために、本発明の制御装置は、室内を空調する複数の空調手段を制御する制御装置において、上記複数の空調手段のうち運転していない空調手段がある場合にその運転していない空調手段のうちの１台の空調手段の運転を開始する複数の運転開始温度と、上記複数の空調手段のうち運転している空調手段がある場合にその運転している空調手段のうちの１台の空調手段の運転を停止する複数の運転停止温度と、が設定される
構成とする。
【００１０】
また、上記複数の空調手段のうち運転していない全ての空調手段の運転を開始する強制運転温度と、上記複数の空調手段のうち運転している全ての空調手段の運転を停止する強制停止温度と、が更に設定される構成とするとよい。
【００１１】
また、上記複数の空調手段は、上記室内を暖房し、上記制御装置は、上記室温が低下して上記運転開始温度に達した場合で、且つ、上記複数の空調手段のうち運転していない空調手段がある場合に、その運転していない空調手段のうちの１台の空調手段の運転を開始し、上記制御装置は、上記室温が上昇して上記運転停止温度に達した場合で、且つ、上記複数の空調手段のうち運転している空調手段がある場合に、その運転している空調手段のうちの１台の空調手段の運転を停止する構成とするとよい。
【００１２】
また、上記複数の運転開始温度は、高温側運転開始温度及び低温側運転開始温度の２つの運転開始温度であり、上記複数の運転停止温度は、高温側運転停止温度及び低温側運転停止温度の２つの運転停止温度であり、上記制御装置が上記運転していない空調手段のうちの１台の空調手段の運転を上記低温側運転開始温度において開始するのは、上記室温が上記高温側運転開始温度から上記低温側運転開始温度に低下して達した場合であり、上記制御装置が上記運転していない空調手段のうちの１台の空調手段の運転を上記高温側運転開始温度において開始するのは、上記室温が上記低温側運転停止温度から上記高温側運転開始温度に低下して達した場合であり、上記制御装置が上記運転している空調手段のうちの１台の空調手段の運転を上記高温側運転停止温度において停止するのは、上記室温が上記低温側運転停止温度から上記高温側運転停止温度に上昇して達した場合であり、上記制御装置が上記運転している空調手段のうちの１台の空調手段の運転を上記低温側運転停止温度において停止するのは、上記室温が上記高温側運転開始温度から上記低温側運転停止温度に上昇して達した場合である構成とするとよい。
【００１３】
また、上記制御装置には、上記複数の空調手段のうち運転していない全ての空調手段の運転を開始する強制運転温度が更に設定され、上記制御装置は、上記低温側運転開始温度において上記空調手段の運転を開始した後、上記室温が一定時間以上上記強制運転温度と上記高温側運転開始温度との間の範囲にある場合で、且つ、上記複数の空調手段のうち運転していない空調手段がある場合に、この運転していない空調手段のうちの１台の空調手段の運転を開始する構成とするとよい。
【００１４】
また、上記制御装置には、上記複数の空調手段のうち運転している全ての空調手段の運転を停止する強制停止温度が更に設定され、上記制御装置は、上記高温側運転停止温度において上記空調手段の運転を停止した後、上記室温が一定時間以上上記強制停止温度と上記低温側運転停止温度との間の範囲にある場合で、且つ、上記複数の空調手段のうち運転している空調手段がある場合に、この運転している空調手段のうちの１台の空調手段の運転を停止する構成とするとよい。
【００１５】
また、上記制御装置は、上記高温側運転開始温度において上記空調手段の運転を開始した後、上記室温が一定時間以上上記低温側運転開始温度と上記低温側運転停止温度との間の範囲にある場合で、且つ、上記複数の空調手段のうち運転していない空調手段がある場合に、この運転していない空調手段のうちの１台の空調手段の運転を開始する構成とするとよい。
【００１６】
また、上記制御装置は、上記低温側運転停止温度において上記空調手段の運転を停止した後、上記室温が一定時間以上上記高温側運転停止温度と上記高温側運転開始温度との間の範囲にある場合で、且つ、上記複数の空調手段のうち運転している空調手段がある場合
に、この運転している空調手段のうちの１台の空調手段の運転を停止する構成とするとよい。
【００１７】
また、上記複数の空調手段は、１又は２以上のヒートポンプ及び１又は２以上の燃焼式暖房機を含み、上記制御装置は、上記燃焼式暖房機の運転よりも上記ヒートポンプの運転を優先的に開始し、上記ヒートポンプの運転よりも上記燃焼式暖房機の運転を優先的に停止する構成とするとよい。
【００１８】
上記課題を解決するために、本発明の空調システムは、上記いずれかの構成の制御装置と、この制御装置により制御される複数の空調手段と、を備える構成とする。
【発明の効果】
【００１９】
本発明では、制御装置に複数の運転開始温度と複数の運転停止温度とが設定されるようにしている。そのため、外気温等の影響で温度環境が高温或いは低温に偏った場合であっても、各運転開始温度及び各運転停止温度における空調手段の運転台数を、温度環境に応じて変動させることができる。よって、本発明によれば、室温調整を安価かつ有効に行うことができる。
【発明を実施するための最良の形態】
【００２０】
以下、本発明の実施の形態に係る制御装置及び空調システムについて、図面を参照しながら説明する。
（一実施の形態）
図１は、本発明の一実施の形態に係る制御装置２を備える空調システム１を示す概略ブロック図である。
図２は、本実施の形態に係る室温変化に応じた制御装置２による制御を示す説明図である。
【００２１】
図１において、空調システム１は、制御装置２と、この制御装置２により制御される複数の空調手段（暖房機）としての第１ヒートポンプＨＰ１、第２ヒートポンプＨＰ２及び燃焼式暖房機ＨＫと、循環扇３と、日射センサ４と、２つの温度センサ５，５と、湿度センサ６とを備えている。
【００２２】
なお、同図に破線で示すように、第１ヒートポンプＨＰ１、第２ヒートポンプＨＰ２、燃焼式暖房機ＨＫ及び循環扇３には、それぞれ同条件で運転する第１ヒートポンプＨＰ１´、第２ヒートポンプＨＰ２´、燃焼式暖房機ＨＫ´及び循環扇３´を配置することができる。
【００２３】
また、破線で示してはいないが、日射センサ４、温度センサ５，５及び湿度センサ６の数を加減するようにしてもよい。
本実施の形態では、第１ヒートポンプＨＰ１、第２ヒートポンプＨＰ２及び燃焼式暖房機ＨＫは、ガラス温室、ビニルハウス等の温室を暖房しているものとする。
【００２４】
ヒートポンプＨＰ１，ＨＰ２は、外気を熱源として利用するため、外気温が低下すると能力が低下する。また、ヒートポンプＨＰ１，ＨＰ２は、同一熱出力を得るのに、燃焼式暖房機ＨＫよりも初期費用が高い半面、燃焼式暖房機ＨＫよりも運転費用を節減することができる。そのため、本実施の形態では、ヒートポンプＨＰ１，ＨＰ２と燃焼式暖房機ＨＫとを併用している。
【００２５】
詳しくは後述するが、本実施の形態では、第１ヒートポンプＨＰ１、第２ヒートポンプＨＰ２及び燃焼式暖房機ＨＫのうち最も優先的に運転を開始するのを第１ヒートポンプＨ
Ｐ１とし、次に優先的に運転を開始するのを第２ヒートポンプＨＰ２、そして優先順位の最も低いのを燃焼式暖房機ＨＫとしている。
【００２６】
一方、第１ヒートポンプＨＰ１、第２ヒートポンプＨＰ２及び燃焼式暖房機ＨＫのうち最も優先的に運転を停止するのを燃焼式暖房機ＨＫとし、次に優先的に運転を停止するのを第２ヒートポンプＨＰ２、そして優先順位の最も低いのを第１ヒートポンプＨＰ１としている。
【００２７】
循環扇３は、温室内に配置され制御装置２により制御されている。また、循環扇３は、温室内の空気を送風により循環させることで、室温ムラ及び湿度ムラを解消している。なお、循環扇３の運転条件としては、例えば、第１ヒートポンプＨＰ１等の運転と連動させることや、温度センサ５，５により検出された室温ムラが一定条件以上となることなどが挙げられる。
【００２８】
日射センサ４は、日射量を測定している。制御装置２は、日射センサ４により測定された積算日射量に基づいて、天候を判断している。そして、制御装置２は、例えば、天候が晴れと判断した場合には図２に示す設定温度Ｋ０を引き上げたり、天候が曇りと判断した場合には設定温度Ｋ０を引き下げたりするなど、設定温度Ｋ０を自動調整している。なお、設定温度Ｋ０は、１日を複数（例えば４つ）の時間帯に分け、時間帯毎に設定されるようにするとよい。
【００２９】
制御装置２には、複数の運転開始温度として、図２に示す２つの運転開始温度ＫＯＮ１，ＫＯＮ２及び２つの運転停止温度ＫＯＦＦ１，ＫＯＦＦ２が設定されている。これら２つの運転開始温度ＫＯＮ１，ＫＯＮ２及び２つの運転停止温度ＫＯＦＦ１，ＫＯＦＦ２は、例えば、ユーザにより設定される設定温度Ｋ０及びこの設定温度Ｋ０からの予め設定されている差温を基にして、自動設定するようにすればよい。
【００３０】
上記設定温度Ｋ０からの差温としては、例えば、高温側運転開始温度ＫＯＮ１と低温側運転停止温度ＫＯＦＦ１との差温であるディファレンシャルＤｉｆｆ（設定温度Ｋ０からはそれぞれＤｉｆｆ／２）、低温側運転開始温度ＫＯＮ２と設定温度ＫＯとの差温（図２に示す「（Ｌｏ／Ｍｉｄ）差温」，「（Ｍｉｄ／Ｈｉ）差温」）、並びに、高温側運転停止温度ＫＯＦＦ２と設定温度ＫＯとの差温（図２に示す「（Ｍｉｄ／Ｌｏ）差温」，「（Ｈｉ／Ｍｉｄ）差温」）を設定しておくとよい。
【００３１】
制御装置２は、室温が低下して運転開始温度ＫＯＮ１，ＫＯＮ２に達したときに、第１ヒートポンプＨＰ１、第２ヒートポンプＨＰ２及び燃焼式暖房機ＨＫのうち運転していない暖房機がある場合にその運転していない暖房機のうちの１台の暖房機の運転を開始するように設定されている。
【００３２】
また、制御装置２は、室温が上昇して運転停止温度ＫＯＦＦ１，ＫＯＦＦ２に達したときには、第１ヒートポンプＨＰ１、第２ヒートポンプＨＰ２及び燃焼式暖房機ＨＫのうち運転している暖房機がある場合にその運転している暖房機のうちの１台の暖房機の運転を停止するように設定されている。
【００３３】
なお、制御装置２が、運転していない暖房機のうちの１台の暖房機の運転を低温側運転開始温度ＫＯＮ２において開始するのは、室温が高温側運転開始温度ＫＯＮ１から低温側運転開始温度ＫＯＮ２に低下して達した場合である（例えば、図２に示すＴ６，Ｔ１１，Ｔ２０，Ｔ２４）。
【００３４】
また、制御装置２が、運転していない暖房機のうちの１台の暖房機の運転を高温側運転
開始温度ＫＯＮ１において開始するのは、室温が低温側運転停止温度ＫＯＦＦ１から高温側運転開始温度ＫＯＮ１に低下して達した場合である（例えばＴ１，Ｔ３，Ｔ５，Ｔ８，Ｔ１０，Ｔ１３，Ｔ１６，Ｔ１９，Ｔ２３，Ｔ２８）。
【００３５】
そして、制御装置２が、運転している暖房機のうちの１台の暖房機の運転を高温側運転停止温度ＫＯＦＦ２において停止するのは、室温が低温側運転停止温度ＫＯＦＦ１から高温側運転停止温度ＫＯＦＦ２に上昇して達した場合である（例えばＴ１５，Ｔ１８，Ｔ２６）。
【００３６】
また、制御装置２が、運転している暖房機のうちの１台の暖房機の運転を低温側運転停止温度ＫＯＦＦ１において停止するのは、室温が高温側運転開始温度ＫＯＮ１から低温側運転停止温度ＫＯＦＦ１に上昇して達した場合である（例えばＴ２，Ｔ４，Ｔ７，Ｔ９，Ｔ１２，Ｔ１４，Ｔ１７，Ｔ２２，Ｔ２５，Ｔ３１）。
【００３７】
制御装置２には、強制運転温度ＫＯＮ３及び強制停止温度ＫＯＦＦ３も設定されている。これら強制運転温度ＫＯＮ３及び強制停止温度ＫＯＦＦ３についても、予め設定されている差温を基に自動設定するようにすればよい。上記差温としては、例えば、低温側運転開始温度ＫＯＮ２と強制運転温度との差温（強制運転差温）、及び、高温側運転停止温度ＫＯＦＦ２と強制停止温度ＫＯＦＦ３との差温（強制停止差温）を設定することが挙げられる。
【００３８】
そして、制御装置２は、室温が低下して強制運転温度ＫＯＮ３に達したときに、運転していない全ての暖房機の運転を開始し、また、室温が上昇して強制停止温度ＫＯＦＦ３に達したときに、運転している全ての暖房機の運転を停止するように設定されている。
【００３９】
また、制御装置２は、低温側の運転開始温度ＫＯＮ２に室温が達した後、一定時間、室温が高温側の運転開始温度ＫＯＮ１に達しないときには、複数の暖房機のうち運転していない暖房機がある場合にその運転していない暖房機のうちの１台の暖房機の運転を開始するように設定されている。
【００４０】
更には、制御装置２は、高温側の運転停止温度ＫＯＦＦ２に室温が達した後、一定時間、室温が低温側の運転停止温度ＫＯＦＦ１に達しないときには、複数の暖房機のうち運転している空調手段がある場合にその運転していない暖房機のうちの１台の暖房機の運転を開始するようにも設定されている。
【００４１】
制御装置２には、暖房モードが設定されている。この暖房モードは、「強制Ｏｆｆ」、「Ｏｆｆ／Ｌｏ」、「Ｌｏ／Ｍｉｄ」、「Ｍｉｄ／Ｈｉ」、「強制Ｈｉ」の５段階に設定されている。例えば、同一の運転開始温度ＫＯＮ１においても、運転モードが「Ｏｆｆ／Ｌｏ」である場合には第１ヒートポンプＨＰ１の運転を開始し、「Ｌｏ／Ｍｉｄ」である場合には第２ヒートポンプＨＰ２の運転を開始し、「Ｍｉｄ／Ｈｉ」である場合には燃焼式暖房機ＨＫの運転を開始するように設定されている。
【００４２】
暖房モードは、「Ｏｆｆ／Ｌｏ」から始まる。そして、室温が低下して高温側運転開始温度ＫＯＮ１から低温側運転開始温度ＫＯＮ２に達すると、暖房モードが「Ｏｆｆ／Ｌｏ」である場合は「Ｌｏ／Ｍｉｄ」へと、また、暖房モードが「Ｌｏ／Ｍｉｄ」である場合は「Ｍｉｄ／Ｈｉ」へと切り替えられる。
【００４３】
一方、室温が上昇して低温側運転停止温度ＫＯＦＦ１から高温側運転停止温度ＫＯＦＦ２に達すると、暖房モードが「Ｍｉｄ／Ｈｉ」である場合は「Ｌｏ／Ｍｉｄ」へと、また、暖房モードが「Ｌｏ／Ｍｉｄ」である場合は「Ｏｆｆ／Ｌｏ」へと切り替えられる。
【００４４】
また、室温が低下して低温側運転開始温度ＫＯＮ２から強制運転温度ＫＯＮ３に達すると、いずれのモードにあっても暖房モードは「強制Ｈｉ」となる。なお、この後、室温が上昇して低温側運転停止温度ＫＯＦＦ１に達すると「強制Ｈｉ」から「Ｍｉｄ／Ｈｉ」へと切り替えられ、更に室温が上昇して高温側運転停止温度ＫＯＦＦ２に達すると、「Ｌｏ／Ｍｉｄ」へと切り替えられる。
【００４５】
一方、室温が上昇して高温側運転停止温度ＫＯＦＦ２から強制停止温度ＫＯＦＦ３に達すると、暖房モードは「強制Ｏｆｆ」となる。なお、この後、室温が低下して高温側運転開始温度ＫＯＮ１に達すると「強制Ｏｆｆ」から「Ｏｆｆ／Ｌｏ」へと切り替えられ、更に室温が低下して低温側運転開始温度ＫＯＮ２に達すると、「Ｌｏ／Ｍｉｄ」へと切り替えられる。
【００４６】
以下、制御装置２による制御について、図３に示すフローチャートについて説明した後、図２に示す室温変化に応じた制御について説明する。
図３は、本実施の形態に係る制御装置２による制御を示すフローチャートである。
まず、本実施の形態では、温室を暖房するため、暖房設定がＯＮであるか否か、即ち制御装置２が暖房可能に設定されているか否かを判断する（Ｓ１）。
【００４７】
暖房設定がＯＮであれば、暖房と冷房のどちらを優先的に運転させるように設定されているかを判断し（Ｓ２）、冷房を優先的に運転させるように設定されている場合には、ユーザに選択されている冷房設定温度から、予め設定されている冷暖房温度差を引いた値を暖房設定温度として決定する（Ｓ３）。暖房設定温度と冷房設定温度とを同一のツマミ等で設定している場合、冷房優先時には、冷房用の設定温度が設定されているからである。
【００４８】
次に、制御装置２は、複数の温度センサ５，５による測定温度を検出して基準室温を決定する（Ｓ４）。
そして、暖房機のうちいずれか１つでも暖房運転中であるか否かを判断し（Ｓ５）、いずれの暖房機も暖房運転していない場合には、室温が低下して高温側運転開始温度ＫＯＮ１以下に変化したか否かを判断する（Ｓ６）。
【００４９】
そして、室温が高温側運転開始温度ＫＯＮ１以下に変化していれば（例えば、図２に示すＴ１，Ｔ３，Ｔ５，Ｔ１９，Ｔ２８）、最小レベル暖房機の運転、即ち、運転開始の優先順位が最も高い第１ヒートポンプＨＰ１の運転を開始する（Ｓ７）。このとき、暖房モードは最小、即ち「ＯＦＦ／Ｌｏ」となる。
【００５０】
一方、暖房機のうちいずれか１つでも運転中であった場合（Ｓ５）には、室温が強制運転温度ＫＯＮ３以下に変化したか否かを判断し（Ｓ８）、変化した場合には（例えばＴ３０）、全暖房機の運転を開始する（Ｓ９）。このとき、暖房モードは「強制Ｈｉ」となる。
【００５１】
室温が強制運転温度ＫＯＮ３以下に変化していなかった場合（Ｓ８）には、室温が低温側運転開始温度ＫＯＮ２以下に変化したか否かを判断する（Ｓ１０）。変化した場合には（例えばＴ６，Ｔ１１，Ｔ２０，Ｔ２４，Ｔ２９）、最大レベル暖房機で運転中でなければ（Ｓ１１）、即ち全暖房機がＯＮでなければ、次レベル暖房機、即ち運転していない暖房機のうち運転開始の優先順位が最も高い暖房機を運転させる（Ｓ１２）。このとき、暖房モードは引き上げられる。
【００５２】
室温が低温側運転開始温度ＫＯＮ２以下に変化していなかった場合（Ｓ１０）には、室温が高温側運転開始温度ＫＯＮ１以下に変化したか否かを判断する（Ｓ１３）。変化した
場合には（例えばＴ８，Ｔ１０，Ｔ１３，Ｔ１６，Ｔ２３）、次レベル暖房機をＯＮにする（Ｓ１４）。このとき、暖房モードに変更はない。
【００５３】
室温が高温側運転開始温度ＫＯＮ１以下に変化していなかった場合（Ｓ１３）には、室温が上昇して強制停止温度ＫＯＦＦ３以上に変化したか否かを判断する（Ｓ１５）。変化した場合には（例えばＴ２７）、全暖房機をＯＦＦにする（Ｓ１６）。このとき、暖房モードは「強制Ｏｆｆ」になる。
【００５４】
室温が強制停止温度ＫＯＦＦ３以上に変化していなかった場合（Ｓ１５）には、室温が高温側運転停止温度ＫＯＦＦ２以上に変化したか否かを判断する（Ｓ１７）。変化した場合で且つ最小レベル暖房機で運転中（Ｓ１８）であれば（例えばＴ１８）、全暖房機をＯＦＦにする（Ｓ１９）。このとき、暖房モードに変更はない。
【００５５】
一方、最小レベル暖房機で運転中（Ｓ１８）でなければ（例えばＴ１５，Ｔ２６）、現レベル暖房機、即ち、運転している暖房機のうち運転停止の優先順位が最も高い暖房機をＯＦＦにする（Ｓ２０）。このとき、暖房モードは引き下げられる。
【００５６】
室温が高温側運転停止温度ＫＯＦＦ２以上に変化しなかった場合（Ｓ１７）、室温が低温側運転停止温度ＫＯＦＦ１以上に変化したか否かを判断する（Ｓ２１）。変化した場合（例えばＴ２，Ｔ４，Ｔ７，Ｔ９，Ｔ１２，Ｔ１４，Ｔ１７，Ｔ２２，Ｔ２５，Ｔ３１）には、現レベル暖房機、即ち、運転している暖房機のうち運転停止の優先順位が最も高い暖房機をＯＦＦにする（Ｓ２２）。このとき、暖房モードに変更はない。
【００５７】
室温が低温側運転停止温度ＫＯＦＦ１以上に変化しなかった場合（Ｓ２１）、一定時間Ｔｃ以上、室温が強制運転温度ＫＯＮ３と高温側運転開始温度ＫＯＮ１との間の範囲にあるか否かを判断する（Ｓ２３）。具体的には、ステップＳ２３では、低温側運転開始温度ＫＯＮ２において暖房機の運転を開始した後、一定時間Ｔｃ以上、室温が強制運転温度ＫＯＮ３と高温側運転開始温度ＫＯＮ１との間の範囲にあるか否かを判断する。
【００５８】
上記ステップＳ２３に該当する場合、即ち、一定時間Ｔｃ以上変化しなかった場合で、且つ最大レベル暖房機で運転中（Ｓ２４）でない場合には（例えばＴ２１）、次レベル暖房機をＯＮにする（Ｓ２５）。このとき、暖房モードは引き上げられる。
【００５９】
上記ステップＳ２３に該当しない場合、即ち、一定時間Ｔｃ以内に変化した場合、一定時間（図２に該当例なし）以上、室温が強制停止温度ＫＯＦＦ３と低温側運転停止温度ＫＯＦＦ１との間の範囲にあるか否かを判断する（Ｓ２６）。具体的には、ステップＳ２６では、高温側運転停止温度ＫＯＦＦ２において暖房機の運転を停止した後、室温が一定時間Ｔｃ以上、強制停止温度ＫＯＦＦ３と低温側運転停止温度ＫＯＦＦ１との間の範囲にあるか否かを判断する。
【００６０】
上記ステップＳ２６に該当する場合、即ち、一定時間以上室温が低温側運転停止温度ＫＯＦＦ１以下に変化しなかった場合、最小レベル暖房機で運転中であるか否かを判断する（Ｓ２７）。そして、最小レベル暖房機で運転中である場合には、全暖房機をＯＦＦにする（Ｓ２８）。このとき、暖房モードに変更はない。
【００６１】
一方、最小レベル暖房機で運転中（Ｓ２７）でない場合には、現レベル暖房機をＯＦＦにする（Ｓ２９）。このとき、暖房モードは引き下げられる。
以上のような制御により、制御装置２は、暖房機ＨＰ１，ＨＰ２，ＨＫを制御している。
【００６２】
以下、図２に示す室温変化に応じた制御について説明する。
まず、室温が低下して高温側運転開始温度ＫＯＮ１以下に変化すると（Ｔ１）、運転していない暖房機（ここでは全暖房機）のうちの１台として、運転開始の優先順位が最も高い第１ヒートポンプＨＰ１の運転を開始する。
【００６３】
また、室温が上昇して高温側運転開始温度ＫＯＮ１から低温側運転停止温度ＫＯＦＦ１に変化すると（Ｔ２）、運転している暖房機（ここでは第１ヒートポンプＨＰ１のみ）のうちの１台として、第１ヒートポンプＨＰ１の運転を停止する。
【００６４】
同様に、室温が低下して低温側運転停止温度ＫＯＦＦ１から高温側運転開始温度ＫＯＮ１に変化すると（Ｔ３，Ｔ５）、第１ヒートポンプＨＰ１の運転を開始し、また、室温が上昇して高温側運転開始温度ＫＯＮ１から低温側運転停止温度ＫＯＦＦ１に変化すると（Ｔ４，Ｔ６）、第１ヒートポンプＨＰ１の運転を停止する。
【００６５】
また、室温が更に低下して高温側運転開始温度ＫＯＮ１から低温側運転開始温度ＫＯＮ２に変化すると（Ｔ６）、運転していない暖房機（ここでは第２ヒートポンプＨＰ２及び燃焼式暖房機ＨＫ）のうちの１台として、運転開始の優先順位が高い第２ヒートポンプＨＰ２の運転を開始する。このとき、暖房モードは「Ｏｆｆ／Ｌｏ」から「Ｌｏ／Ｍｉｄ」に引き上げられる。
【００６６】
時間Ｔ７〜時間Ｔ１４においても以上のような制御を繰り返す。
そして、室温が上昇して低温側運転停止温度ＫＯＦＦ１から高温側運転停止温度ＫＯＦＦ２に変化すると（Ｔ１５）、運転している暖房機（ここでは第１ヒートポンプＨＰ１及び第２ヒートポンプＨＰ２）のうちの１台として、運転停止の優先順位が高い第２ヒートポンプＨＰ２の運転を停止する。このとき、暖房モードは「Ｌｏ／Ｍｉｄ」から「Ｏｆｆ／Ｌｏ」に引き下げられる。
【００６７】
時間Ｔ１６〜時間Ｔ１９においても以上のような制御を繰り返す。
そして、室温が低下して高温側運転開始温度ＫＯＮ１から低温側運転開始温度ＫＯＮ２に変化し、第２ヒートポンプＨＰ２の運転を開始した後（Ｔ２０）、一定時間Ｔｃ以上、室温が強制運転温度ＫＯＮ３と高温側運転開始温度ＫＯＮ１との間の範囲にある場合（Ｔ２１）、運転していない暖房機（ここでは燃焼式暖房機ＨＫのみ）のうちの１台として、燃焼式暖房機ＨＫの運転を開始する。このとき、暖房モードは「Ｌｏ／Ｍｉｄ」から「Ｍｉｄ／Ｈｉ」に引き上げられる。
【００６８】
時間Ｔ２２〜時間Ｔ２６においても以上のような制御を繰り返す。
そして、室温が上昇して高温側運転停止温度ＫＯＦＦ２から強制停止温度ＫＯＦＦ３に変化すると（Ｔ２７）、全暖房機の運転を停止する。このとき、暖房モードは「強制Ｏｆｆ」に引き下げられる。なお、後のモード引き上げ又はモード引き下げの際には、「強制Ｏｆｆ」は「Ｏｆｆ／Ｌｏ」であるものとみなされる。
【００６９】
時間Ｔ２８及び時間Ｔ２９においても以上のような制御を繰り返す。
そして、室温が低下して低温側運転開始温度ＫＯＮ２から強制運転温度ＫＯＮ３に変化すると（Ｔ３０）、全暖房機の運転を開始する。このとき、暖房モードは「強制Ｈｉ」に引き上げられる。なお、後のモード引き上げ又はモード引き下げの際には、「強制Ｈｉ」は「Ｍｉｄ／Ｈｉ」であるものとみなされる。
【００７０】
なお、本実施の形態では、空調手段として、第１ヒートポンプＨＰ１、第２ヒートポンプＨＰ２及び燃焼式暖房機ＨＫの３つの暖房機を用いて、制御装置２により温室等の暖房を行う例について説明したが、暖房機の数は２以上であれば本実施の形態と同様の効果を
得ることは可能である。
【００７１】
また、制御装置２は、複数のヒートポンプのみ或いは複数の燃焼式暖房機のみを制御するようにしてもよい。その場合には、運転費用の安価な暖房機の運転を優先的に開始するなどすることで、室温調整を安価かつ有効に行うことができ、本実施の形態と同様の効果を得ることが可能となる。
【００７２】
また、制御装置２は、複数の暖房機ではなく、複数の冷房機、複数の循環扇等を、上述の暖房機と同様に制御するようにすることでも、本実施の形態と同様の効果を得ることは可能である。例えば、複数の冷房機を制御する場合には、運転開始温度ＫＯＮ１，ＫＯＮ２や強制運転温度ＫＯＮ３を設定温度Ｋ０よりも高く設定すると共に、運転停止温度ＫＯＦＦ１，ＫＯＦＦ２や強制停止温度ＫＯＦＦ３を設定温度Ｋ０よりも低く設定するようにすればよい。
【００７３】
また、本実施の形態では、運転開始温度ＫＯＮ１，ＫＯＮ２及び運転停止温度ＫＯＦＦ１，ＫＯＦＦ２をそれぞれ２つとして制御する例について説明したが、３つ以上とすることも考えられる。
【００７４】
以上説明した本実施の形態では、複数の運転開始温度ＫＯＮ１，ＫＯＮ２と複数の運転停止温度ＫＯＦＦ１，ＫＯＦＦ２とが制御装置２に設定されるようにしている。そのため、外気温等の影響で温度環境が高温或いは低温に偏った場合であっても、各運転開始温度ＫＯＮ１，ＫＯＮ２及び各運転停止温度ＫＯＦＦ１，ＫＯＦＦ２における暖房機ＨＰ１，ＨＰ２，ＨＫの運転台数を、温度環境に応じて変動させることができる。よって、本実施の形態によれば、室温調整を安価かつ有効に行うことができる。
【００７５】
更には、本実施の形態では、制御装置２は、第１ヒートポンプＨＰ１、第２ヒートポンプＨＰ２、燃焼式暖房機ＨＫ、循環扇３等を制御するため、容易に室温調整及び湿度調整を行うことができる。
【００７６】
また、本実施の形態では、運転していない全ての暖房機ＨＰ１，ＨＰ２，ＨＫの運転を開始する強制運転温度ＫＯＮ３と、運転している全ての暖房機ＨＰ１，ＨＰ２，ＨＫの運転を停止する強制停止温度とＫＯＦＦ３とが制御装置２に更に設定されるようにしている。そのため、室温が極端な高温又は低温になった場合であっても、安定的に室内を空調することができ、したがって、室温調整を一層、安価かつ有効に行うことができる。
【００７７】
また、本実施の形態では、制御装置２は、低温側運転開始温度ＫＯＮ２において暖房機の運転を開始した後、室温が一定時間以上強制運転温度ＫＯＮ３と高温側運転開始温度ＫＯＮ１との間の範囲にある場合で、且つ、複数の暖房機のうち運転していない暖房機がある場合に、その運転していない暖房機のうちの１台の暖房機の運転を開始するようにしている。そのため、より有効に室内を空調することができ、したがって、室内の暖房を一層、安価かつ有効に行うことができる。
【００７８】
また、本実施の形態では、制御装置２は、高温側運転停止温度ＫＯＦＦ２において暖房機の運転を停止した後、室温が一定時間以上強制停止温度ＫＯＦＦ３と低温側運転停止温度ＫＯＦＦ１との間の範囲にある場合で、且つ、複数の暖房機のうち運転している暖房機がある場合に、その運転している暖房機のうちの１台の暖房機の運転を停止するようにしている。そのため、より有効に室内を空調することができ、したがって、室内の暖房を一層、安価かつ有効に行うことができる。
【００７９】
また、本実施の形態では、空調手段として、１又は２以上（２台）のヒートポンプＨＰ
１，ＨＰ２及び１又は２以上（１台）の燃焼式暖房機ＨＫを用い、制御装置２は、燃焼式暖房機ＨＫの運転よりもヒートポンプＨＰ１，ＨＰ２の運転を優先的に開始し、ヒートポンプＨＰ１，ＨＰ２の運転よりも燃焼式暖房機ＨＫの運転を優先的に停止させるようにしている。そのため、外気温が低下すると効率が低下すると共に運転費用の安価なヒートポンプＨＰ１，ＨＰ２を優先的に運転させることができ、したがって、室内の暖房を一層、安価かつ有効に行うことができる。
【００８０】
更には、本実施の形態では、空調手段としてヒートポンプＨＰ１，ＨＰ２を用いているため、ヒートポンプＨＰ１，ＨＰ２を暖房機としてのみならず冷房機としても使用することができ、冷房や除湿をも行うことができ、したがって、室温調整及び湿度調整を安価かつ有効に行うことができる。
【００８１】
（他の実施の形態）
本実施の形態では、空調手段として１台のヒートポンプＨＰ及び１台の燃焼式暖房機ＨＫの２台の暖房機を用いている点、並びに、強制運転温度及び強制停止温度を採用していない点において、上述の一実施の形態と主に相違するため、室温変化に応じた制御についてのみ説明する。なお、上述の相違点に起因して、本実施の形態における暖房モードは「Ｏｆｆ／Ｌｏ」及び「Ｌｏ／Ｈｉ」の２つのみである。
【００８２】
図４は、本発明の他の実施の形態に係る室温変化に応じた制御装置による制御を示す説明図である。
まず、室温が低下して高温側運転開始温度ＫＯＮ１に変化すると（Ｔ４１）、運転していない暖房機（ここではヒートポンプＨＰ及び燃焼式暖房機ＨＫ）のうちの１台として、運転開始の優先順位が最も高いヒートポンプＨＰの運転を開始する。
【００８３】
室温が上昇して高温側運転開始温度ＫＯＮ１から低温側運転停止温度ＫＯＦＦ１に変化すると（Ｔ４２）、運転している暖房機（ここではヒートポンプＨＰのみ）のうちの１台として、ヒートポンプＨＰの運転を停止する。
【００８４】
同様に、室温が低下して低温側運転停止温度ＫＯＦＦ１から高温側運転開始温度ＫＯＮ１に変化すると（Ｔ４３）、ヒートポンプＨＰの運転を開始する。また、室温が上昇して高温側運転開始温度ＫＯＮ１から低温側運転停止温度ＫＯＦＦ１に変化すると（Ｔ４４）、ヒートポンプＨＰの運転を停止する。そして、室温が低下して低温側運転停止温度ＫＯＦＦ１から高温側運転開始温度ＫＯＮ１に変化すると（Ｔ４５）、ヒートポンプＨＰの運転を開始する。
【００８５】
室温が更に低下して高温側運転開始温度ＫＯＮ１から低温側運転開始温度ＫＯＮ２に変化すると（Ｔ４６）、運転していない暖房機（ここでは燃焼式暖房機ＨＫのみ）のうちの１台として、燃焼式暖房機ＨＫの運転を開始する。このとき、暖房モードは「Ｏｆｆ／Ｌｏ」から「Ｌｏ／Ｈｉ」に引き上げられる。
【００８６】
時間Ｔ４７〜時間Ｔ５１においても以上のような制御を繰り返す。
そして、室温が上昇して低温側運転停止温度ＫＯＦＦ１から高温側運転停止温度ＫＯＦＦ２に変化すると（Ｔ５２）、運転している暖房機（ここではヒートポンプＨＰのみ）のうちの１台として、ヒートポンプＨＰの運転を停止する。このとき、暖房モードは「Ｌｏ／Ｈｉ」から「Ｏｆｆ／Ｌｏ」に引き下げられる。
【００８７】
時間Ｔ５３〜時間Ｔ５６においても以上のような制御を繰り返す。
そして、室温が低下して低温側運転開始温度ＫＯＦＦ１から高温側開始温度ＫＯＮ１に変化し、ヒートポンプＨＰの運転を開始した後（Ｔ５７）、一定時間Ｔｃ以上、室温が低
温側運転開始温度ＫＯＮ２と低温側運転停止温度ＫＯＦＦ１との間の範囲にある場合（Ｔ５８）、運転していない暖房機（ここでは燃焼式暖房機ＨＫのみ）のうちの１台として、燃焼式暖房機ＨＫの運転を開始する。このとき、暖房モードは「Ｌｏ／Ｍｉｄ」から「Ｍｉｄ／Ｈｉ」に引き上げられる。
【００８８】
なお、図４には図示していないが、制御装置は、低温側運転停止温度ＫＯＦＦ１において暖房機（ヒートポンプＨＰ又は燃焼式暖房機ＨＫ）の運転を停止した後、室温が一定時間以上高温側運転停止温度ＫＯＦＦ２と高温側運転開始温度ＫＯＮ１との間の範囲にある場合で、且つ、複数の暖房機のうち運転している暖房機がある場合に、その運転している暖房機のうちの１台の暖房機の運転を停止するようにも設定されている。
【００８９】
以上説明した本実施の形態においても、複数の運転開始温度ＫＯＮ１，ＫＯＮ２と複数の運転停止温度ＫＯＦＦ１，ＫＯＦＦ２とが制御装置に設定されるようにしている。そのため、外気温等の影響で温度環境が高温或いは低温に偏った場合であっても、各運転開始温度ＫＯＮ１，ＫＯＮ２及び各運転停止温度ＫＯＦＦ１，ＫＯＦＦ２における暖房機ＨＰ，ＨＫの運転台数を、温度環境に応じて変動させることができる。よって、本実施の形態によれば、室温調整を安価かつ有効に行うことができる。
【００９０】
また、本実施の形態では、制御装置は、高温側運転開始温度ＫＯＮ１において暖房機（ヒートポンプＨＰ又は燃焼式暖房機ＨＫ）の運転を開始した後、室温が一定時間以上低温側運転開始温度ＫＯＮ２と低温側運転停止温度ＫＯＦＦ１との間の範囲にある場合で、且つ、複数の暖房機のうち運転していない暖房機がある場合に、その運転していない暖房機のうちの１台の暖房機の運転を開始するようにしている。そのため、より有効に室内を空調することができ、したがって、室温調整を一層、安価かつ有効に行うことができる。
【００９１】
また、本実施の形態では、制御装置は、低温側運転停止温度ＫＯＦＦ１において暖房機の運転を停止した後、室温が一定時間以上高温側運転停止温度ＫＯＦＦ２と高温側運転開始温度ＫＯＮ１との間の範囲にある場合で、且つ、複数の暖房機のうち運転している暖房機がある場合に、その運転している暖房機のうちの１台の暖房機の運転を停止するようにしている。そのため、より有効に室内を空調することができ、したがって、室温調整を一層、安価かつ有効に行うことができる。
【図面の簡単な説明】
【００９２】
【図１】本発明の一実施の形態に係る制御装置を備える空調システムを示す概略ブロック図である。
【図２】本発明の一実施の形態に係る室温変化に応じた制御装置による制御を示す説明図である。
【図３】本発明の一実施の形態に係る制御装置による制御を示すフローチャートである。
【図４】本発明の他の実施の形態に係る室温変化に応じた制御装置による制御を示す説明図である。
【符号の説明】
【００９３】
１      空調システム
２      制御装置
３      循環扇
４      日射センサ
５      温度センサ
６      湿度センサ
ＨＰ１      第１ヒートポンプ
ＨＰ２      第２ヒートポンプ
ＨＰ      ヒートポンプ
ＨＫ      燃焼式暖房機
【図１】
0004713546.tif 000002
【図２】
0004713546.tif 000003
【図４】
0004713546.tif 000004
【図３】
0004713546.tif 000005